(57)【要約】【課題】  顧客が抱くイメージに基づき所望の間取りプランを簡易な入力方法で効率的に検索するシステムの提供。【解決手段】  作成したＣＡＤ間取りプラン情報を部屋毎の重心座標及び当該座標に対する許容誤差とともに被検索対象データとして蓄積し、ゾーニング入力可能なシステムにより特定された顧客希望の間取り略図に基づき算出した部屋毎の重心座標を検索対象データとし、当該データを入力することにより、前記被検索対象データとの適合率を算出する。【選択図】図２
2005100039.tif 000002
【特許請求の範囲】
【請求項１】
ＣＡＤにより建物の間取りプランの設計を行い、当該プランを被検索対象とし、任意の間取りプランを検索対象として検索を行うシステムであって、
作成したＣＡＤ間取りプラン情報を部屋毎の重心座標及び当該座標に対する許容誤差とともに被検索対象データとして蓄積し、
ゾーニング入力可能なシステムにより特定されたオペレーター希望の間取り略図に基づき算出した部屋毎の重心座標を検索対象データとし、
当該データを入力することにより、
前記被検索対象データとの適合率を算出することで検索を行うことを特徴とする建物プラン検索システム。
【請求項２】
ＣＡＤにより建物の間取りプランの設計を行い、当該プランを被検索対象とし、任意に特定した間取りプランを検索対象として検索を行うシステムであって、
当該システムは、
ＣＡＤで作成した間取りプランに基づき当該プランの部屋重心座標を算出する算出手段と、
前記算出した部屋重心座標を部屋種を特定する識別子に関連付けて、前記プランとともに被検索対象データとして蓄積する蓄積手段と、
オペレーター希望の間取りをゾーニングで入力する入力手段と、
前記ゾーニング入力に際し、部屋種を特定する特定手段と、
上記入力したゾーニングに基づきゾーニング毎の重心座標を検索対象データとして算出する算出手段と、
前記算出された検索対象データに、上記特定された部屋種に係る識別子を関連付けて一時保存する保存手段と、
上記被検索対象データを抽出する抽出手段と、
前記抽出された被検索対象データに係る部屋重心座標に対して許容誤差として重心範囲を設定する重心範囲設定手段と、
前記設定された重心範囲に基づき前記抽出された被検索対象データに係る重心座標に対する重心範囲を算出する算出手段と、
前記算出された重心範囲と、上記特定された検索対象データに係る重心座標とを比較する重心比較手段と、
上記比較された被検索対象データに係る重心範囲と検索対象データに係る重心座標に基づき両者の適合率を算出する算出手段と、
抽出すべき被検索対象データの適合率を設定する適合率設定手段と、
上記算出した上記両者の適合率と前記設定された適合率との比較を行う適合率比較手段と、
前記適合率比較手段により比較された各被検索対象データの適合率が、設定された適合率を充足する場合に当該被検索対象データに係る間取りプランを抽出する適合率充足間取りプラン抽出手段と、
前記抽出された適合率充足間取りプランの重心情報からゾーニングに変換する手段と、
上記抽出された適合率充足間取りプラン又は変換されたゾーニングを表示する表示手段と、
前記表示した間取りプラン又はゾーニングを出力する出力手段と
を有する建物プラン検索システム。
【請求項３】
重心範囲は、任意に設定可能とすることを特徴とする請求項２記載の建物プラン検索システム。
【請求項４】
表示手段は、前記適合率を充足する間取りプラン又はゾーニングの件数、当該プラン又はゾーニングの一覧、当該間取りプラン又はゾーニングのうち一以上を表示し、
また、
出力手段は、前記適合率を充足する間取りプラン又はゾーニングの件数、当該プラン又はゾーニングの一覧、当該間取りプラン又はゾーニングのうち一以上を出力する
ことを特徴とする請求項２記載の建物プラン検索システム。
【請求項５】
ＣＡＤにより建物の間取りプランの設計を行い、当該プランを被検索対象とし、任意に特定した間取りプランを検索対象として検索を行うシステムを機能させるためのプログラムであって、
コンピュータを、
ＣＡＤで作成した間取りプランに基づき当該プランの部屋重心座標を算出する算出手段と、
前記算出した部屋重心座標を部屋種を特定する識別子に関連付けて、前記プランとともに被検索対象データとして蓄積する蓄積手段と、
オペレーター希望の間取りをゾーニングで入力する入力手段と、
前記ゾーニング入力に際し、部屋種を特定する特定手段と、
上記入力したゾーニングに基づきゾーニング毎の重心座標を検索対象データとして算出する算出手段と、
前記算出された検索対象データに、上記特定された部屋種に係る識別子を関連付けて一時保存する保存手段と、
上記被検索対象データを抽出する抽出手段と、
前記抽出された被検索対象データに係る部屋重心座標に対して許容誤差として重心範囲を設定する重心範囲設定手段と、
前記設定された重心範囲に基づき前記抽出された被検索対象データに係る重心座標に対する重心範囲を算出する算出手段と、
前記算出された重心範囲と、上記特定された検索対象データに係る重心座標とを比較する重心比較手段と、
上記比較された被検索対象データに係る重心範囲と検索対象データに係る重心座標に基づき両者の適合率を算出する算出手段と、
抽出すべき被検索対象データの適合率を設定する適合率設定手段と、
上記算出した上記両者の適合率と前記設定された適合率との比較を行う適合率比較手段と、
前記適合率比較手段により比較された各被検索対象データの適合率が、設定された適合率を充足する場合に当該被検索対象データに係る間取りプランを抽出する適合率充足間取りプラン抽出手段と、
前記抽出された適合率充足間取りプランの重心情報からゾーニングに変換する手段と、
上記抽出された適合率充足間取りプラン又は変換されたゾーニングを表示する表示手段と、
前記表示した間取りプラン又はゾーニングを出力する出力手段として
機能させるための建物プラン検索プログラム。
【請求項６】
ＣＡＤで作成した間取りプランに基づき当該プランの部屋重心座標を算出する算出手段と、
前記算出した部屋重心座標を部屋種を特定する識別子に関連付けて、前記プランとともに被検索対象データとして蓄積する蓄積手段と、
オペレーター希望の間取りをゾーニングで入力する入力手段と、
前記ゾーニング入力に際し、部屋種を特定する特定手段と、
上記入力したゾーニングに基づきゾーニング毎の重心座標を検索対象データとして算出する算出手段と、
前記算出された検索対象データに、上記特定された部屋種に係る識別子を関連付けて一時保存する保存手段と、
上記被検索対象データを抽出する抽出手段と、
前記抽出された被検索対象データに係る部屋重心座標に対して許容誤差として重心範囲を設定する重心範囲設定手段と、
前記設定された重心範囲に基づき前記抽出された被検索対象データに係る重心座標に対する重心範囲を算出する算出手段と、
前記算出された重心範囲と、上記特定された検索対象データに係る重心座標とを比較する重心比較手段と、
上記比較された被検索対象データに係る重心範囲と検索対象データに係る重心座標に基づき両者の適合率を算出する算出手段と、
抽出すべき被検索対象データの適合率を設定する適合率設定手段と、
上記算出した上記両者の適合率と前記設定された適合率との比較を行う適合率比較手段と、
前記適合率比較手段により比較された各被検索対象データの適合率が、設定された適合率を充足する場合に当該被検索対象データに係る間取りプランを抽出する適合率充足間取りプラン抽出手段と、
前記抽出された適合率充足間取りプランの重心情報からゾーニングに変換する手段と、
上記抽出された適合率充足間取りプラン又は変換されたゾーニングを表示する表示手段と、
前記表示した間取りプラン又はゾーニングを出力する出力手段と
配信先の配信要求に応じて配信する配信手段と
を備えたことを特徴とする住宅プラン検索プログラムを配信する配信サーバ装置。
【請求項７】
ＣＡＤにより建物の間取りプランの設計を行い、当該プランを被検索対象とし、任意の間取りプランを検索対象として検索を行う方法であって、
ＣＡＤで作成した間取りプランに基づき当該プランの部屋重心座標を算出するステップと、
前記算出した部屋重心座標を部屋種を特定する識別子に関連付けて、前記プランとともに被検索対象データとして蓄積するステップと、
オペレーター希望の間取りをゾーニングで入力するステップと、
前記ゾーニング入力に際し、部屋種を特定するステップと、
上記入力したゾーニングに基づきゾーニング毎の重心座標を検索対象データとして算出するステップと、
前記算出された検索対象データに、上記特定された部屋種に係る識別子を関連付けて一時保存するステップと、
上記被検索対象データを抽出するステップと、
前記抽出された被検索対象データに係る部屋重心座標に対して許容誤差として重心範囲を設定するステップと、
前記設定された重心範囲に基づき前記抽出された被検索対象データに係る重心座標に対する重心範囲を算出するステップと、
前記算出された重心範囲と、上記特定された検索対象データに係る重心座標とを比較するステップと、
上記比較された被検索対象データに係る重心範囲と検索対象データに係る重心座標に基づき両者の適合率を算出するステップと、
抽出すべき被検索対象データの適合率を設定するステップと、
上記算出した上記両者の適合率と前記設定された適合率との比較を行うステップと、
前記比較された各被検索対象データの適合率が、設定された適合率を充足する場合に当該被検索対象データに係る間取りプランを抽出するステップと、
前記抽出された適合率充足間取りプランの重心情報からゾーニングに変換するステップと、
上記抽出された適合率充足間取りプラン又は変換されたゾーニングを表示するステップと、
前記表示した間取りプラン又はゾーニングを出力するステップとからなる
建物プラン検索方法。
【発明の詳細な説明】
【技術分野】
【０００１】
本発明は、ＣＡＤ（Computer Aided Design）を利用して作成した建物の間取りプランに基づき、当該プランの部屋重心座標及び当該重心に対する許容誤差となる重心範囲を求めて、前記プランとともに被検索対象データとして蓄積し、当該データに係る重心範囲と、任意に入力したゾーニング情報に基づき算出した重心座標との比較において、所定の適合率を充足した被検索対象データに係る間取りプランを抽出する技術に関するものである。
【背景技術】
【０００２】
従来、コンピュータシステムを利用した建物の間取りプラン検索といえば、規格プランを収納したデータベースを準備し、一方でオペレーターの希望する間取りプランを条件設定して検索対象データとして入力し、当該検索対象に係る条件を充足する被検索対象データを前記データベースから抽出するというものであった。
具体的には、例えば、規格プランを収納したデータベースは、規格プラン毎に、間取りは２ＬＤＫ、玄関位置は南というように項目毎に設定され、一方、検索対象データは、オペレーターが希望する間取りは２ＬＤＫか、若しくは３ＬＤＫか、また、玄関位置は東西南北のいずれの方位とするかなど、検索項目を個々に指定することで条件設定が行われ、前記データベースに蓄積された規格プランの中から、当該条件を充足する規格プランを抽出するというものである。
【０００３】
【特許文献１】特開２００１−３０６６３２（「請求項１」「請求項５」「００２０」「図４」）
【発明の開示】
【発明が解決しようとする課題】
【０００４】
しかしながら、上記のような検索方法によれば、オペレーターが設定した条件を充足したプランしか抽出されず、また、和室とリビングが隣接するという条件設定は不可能である。さらに、上記条件を設定するには、ある程度、住宅購入を現実的に捉えている顧客が対象となり、未だ、住宅の購入に踏み切れないでいる者は上記のような条件設定を行うほどには考えがまとまっていないことが多い。
【０００５】
そこで、本願はオペレーターが設定した条件のうち、一部の条件は充足しないものの、大部分は当該条件を充足するといったプランがある場合には、当該プランを検索対象データとして抽出することができるような検索システムを、また、特定の部屋の有無という条件設定、例えば、和室とリビングがあるという条件設定のみならず、和室とリビングが隣接しているという部屋間の位置関係までをも条件設定することを可能とし、さらに、未だ、住宅購入に踏み切れないでいる者であったり、また、上記のような条件設定を行うほどには考えがまとまっていない者でも、「玄関はこの位置に、そして水廻りはこの位置で、また、和室とダイニングはこの位置に隣接して広く確保したい。」といった間取りに対する簡単なイメージを抱くことは容易であることから、このようなイメージで間取りプランの検索が可能となるシステムを開発しようというものである。
また、通常は設計者が敷地や法規制等の与条件の中で個々の顧客ニーズに合わせてゾーニングを行い、その後プランニングへと作業を進めるのだが、本願は設計者のこれら一連の作業の軽減を図るものである。
【課題を解決するための手段】
【０００６】
上記の課題を解決するために、請求項１記載の建物プラン検索システムは、作成したＣＡＤ間取りプラン情報を部屋毎の重心座標及び当該座標に対する許容誤差とともに被検索対象データとして蓄積し、ゾーニング入力可能なシステムにより特定されたオペレーター希望の間取り略図に基づき算出した部屋毎の重心座標を検索対象データとし、当該データを入力することにより、前記被検索対象データとの適合率を算出することで検索を行うことを要旨とする。
【０００７】
また、請求項２記載の建物プラン検索システムは、ＣＡＤで作成した間取りプランに基づき当該プランの部屋重心座標を算出する算出手段と、前記算出した部屋重心座標を部屋種を特定する識別子に関連付けて、前記プランとともに被検索対象データとして蓄積する蓄積手段と、オペレーター希望の間取りをゾーニングで入力する入力手段と、前記ゾーニング入力に際し、部屋種を特定する特定手段と、上記入力したゾーニングに基づきゾーニング毎の重心座標を検索対象データとして算出する算出手段と、前記算出された検索対象データに、上記特定された部屋種に係る識別子を関連付けて一時保存する保存手段と、上記被検索対象データを抽出する抽出手段と、前記抽出された被検索対象データに係る部屋重心座標に対して許容誤差として重心範囲を設定する重心範囲設定手段と、前記設定された重心範囲に基づき前記抽出された被検索対象データに係る重心座標に対する重心範囲を算出する算出手段と、前記算出された重心範囲と、上記特定された検索対象データに係る重心座標とを比較する重心比較手段と、上記比較された被検索対象データに係る重心範囲と検索対象データに係る重心座標に基づき両者の適合率を算出する算出手段と、抽出すべき被検索対象データの適合率を設定する適合率設定手段と、上記算出した上記両者の適合率と前記設定された適合率との比較を行う適合率比較手段と、前記適合率比較手段により比較された各被検索対象データの適合率が、設定された適合率を充足する場合に当該被検索対象データに係る間取りプランを抽出する適合率充足間取りプラン抽出手段と、前記抽出された適合率充足間取りプランの重心情報からゾーニングに変換する手段と、上記抽出された適合率充足間取りプラン又は変換されたゾーニングを表示する表示手段と、前記表示した間取りプラン又はゾーニングを出力する出力手段とを有することを要旨とする。
【０００８】
また、請求項３記載の建物プラン検索システムは、請求項２記載の構成において、重心範囲が、任意に設定可能とすることを要旨とする。
【０００９】
また、請求項４記載の建物プラン検索システムは、請求項２記載の構成において、表示手段が、前記適合率を充足する間取りプラン又はゾーニングの件数、当該プラン又はゾーニングの一覧、当該間取りプラン又はゾーニングのうち一以上を表示し、また、出力手段は、前記適合率を充足する間取りプラン又はゾーニングの件数、当該プラン又はゾーニングの一覧、当該間取りプラン又はゾーニングのうち一以上を出力することを要旨とする。
【００１０】
また、請求項５記載の建物プラン検索プログラムは、コンピュータを、ＣＡＤで作成した間取りプランに基づき当該プランの部屋重心座標を算出する算出手段と、前記算出した部屋重心座標を部屋種を特定する識別子に関連付けて、前記プランとともに被検索対象データとして蓄積する蓄積手段と、オペレーター希望の間取りをゾーニングで入力する入力手段と、前記ゾーニング入力に際し、部屋種を特定する特定手段と、上記入力したゾーニングに基づきゾーニング毎の重心座標を検索対象データとして算出する算出手段と、前記算出された検索対象データに、上記特定された部屋種に係る識別子を関連付けて一時保存する保存手段と、上記被検索対象データを抽出する抽出手段と、前記抽出された被検索対象データに係る部屋重心座標に対して許容誤差として重心範囲を設定する重心範囲設定手段と、前記設定された重心範囲に基づき前記抽出された被検索対象データに係る重心座標に対する重心範囲を算出する算出手段と、前記算出された重心範囲と、上記特定された検索対象データに係る重心座標とを比較する重心比較手段と、上記比較された被検索対象データに係る重心範囲と検索対象データに係る重心座標に基づき両者の適合率を算出する算出手段と、抽出すべき被検索対象データの適合率を設定する適合率設定手段と、上記算出した上記両者の適合率と前記設定された適合率との比較を行う適合率比較手段と、前記適合率比較手段により比較された各被検索対象データの適合率が、設定された適合率を充足する場合に当該被検索対象データに係る間取りプランを抽出する適合率充足間取りプラン抽出手段と、前記抽出された適合率充足間取りプランの重心情報からゾーニングに変換する手段と、上記抽出された適合率充足間取りプラン又は変換されたゾーニングを表示する表示手段と、前記表示した間取りプラン又はゾーニングを出力する出力手段として機能させることを要旨とする。
【００１１】
また、請求項６記載の住宅プラン検索プログラムを配信する配信サーバ装置  は、ＣＡＤで作成した間取りプランに基づき当該プランの部屋重心座標を算出する算出手段と、前記算出した部屋重心座標を部屋種を特定する識別子に関連付けて、前記プランとともに被検索対象データとして蓄積する蓄積手段と、オペレーター希望の間取りをゾーニングで入力する入力手段と、前記ゾーニング入力に際し、部屋種を特定する特定手段と、上記入力したゾーニングに基づきゾーニング毎の重心座標を検索対象データとして算出する算出手段と、前記算出された検索対象データに、上記特定された部屋種に係る識別子を関連付けて一時保存する保存手段と、上記被検索対象データを抽出する抽出手段と、前記抽出された被検索対象データに係る部屋重心座標に対して許容誤差として重心範囲を設定する重心範囲設定手段と、前記設定された重心範囲に基づき前記抽出された被検索対象データに係る重心座標に対する重心範囲を算出する算出手段と、前記算出された重心範囲と、上記特定された検索対象データに係る重心座標とを比較する重心比較手段と、上記比較された被検索対象データに係る重心範囲と検索対象データに係る重心座標に基づき両者の適合率を算出する算出手段と、抽出すべき被検索対象データの適合率を設定する適合率設定手段と、上記算出した上記両者の適合率と前記設定された適合率との比較を行う適合率比較手段と、前記適合率比較手段により比較された各被検索対象データの適合率が、設定された適合率を充足する場合に当該被検索対象データに係る間取りプランを抽出する適合率充足間取りプラン抽出手段と、前記抽出された適合率充足間取りプランの重心情報からゾーニングに変換する手段と、上記抽出された適合率充足間取りプラン又は変換されたゾーニングを表示する表示手段と、前記表示した間取りプラン又はゾーニングを出力する出力手段と、配信先の配信要求に応じて配信する配信手段とを備えたことを要旨とする。
【００１２】
また、請求項７記載の建物プラン検索方法は、ＣＡＤで作成した間取りプランに基づき当該プランの部屋重心座標を算出するステップと、前記算出した部屋重心座標を部屋種を特定する識別子に関連付けて、前記プランとともに被検索対象データとして蓄積するステップと、オペレーター希望の間取りをゾーニングで入力するステップと、前記ゾーニング入力に際し、部屋種を特定するステップと、上記入力したゾーニングに基づきゾーニング毎の重心座標を検索対象データとして算出するステップと、前記算出された検索対象データに、上記特定された部屋種に係る識別子を関連付けて一時保存するステップと、上記被検索対象データを抽出するステップと、前記抽出された被検索対象データに係る部屋重心座標に対して許容誤差として重心範囲を設定するステップと、前記設定された重心範囲に基づき前記抽出された被検索対象データに係る重心座標に対する重心範囲を算出するステップと、前記算出された重心範囲と、上記特定された検索対象データに係る重心座標とを比較するステップと、上記比較された被検索対象データに係る重心範囲と検索対象データに係る重心座標に基づき両者の適合率を算出するステップと、抽出すべき被検索対象データの適合率を設定するステップと、上記算出した上記両者の適合率と前記設定された適合率との比較を行うステップと、前記比較された各被検索対象データの適合率が、設定された適合率を充足する場合に当該被検索対象データに係る間取りプランを抽出するステップと、前記抽出された適合率充足間取りプランの重心情報からゾーニングに変換するステップと、上記抽出された適合率充足間取りプラン又は変換されたゾーニングを表示するステップと、前記表示した間取りプラン又はゾーニングを出力するステップとからなることを要旨とする。
【発明の効果】
【００１３】
本発明によれば、オペレーターが設定した条件のうち一部の条件は充足しない場合であっても、大部分の条件は充足するといった既存のプランがある場合には、当該プランを検索対象データとして抽出することができる。
【００１４】
また、和室とリビングが隣接しているという部屋間の位置関係までも条件設定することが可能となる。したがって、これまでのように、特定の部屋の有無という検索条件に該当した後、さらに当該部屋間の位置関係を個々に調べるという手間が省け、迅速を要する住宅プランの提案には非常に効果的なシステムであるということができる。
さらに、豊富なデータベースを背景に、設計者のプランニング作業の大幅な効率向上を図ることが可能となる。
【００１５】
その上、未だ、住宅の購入に踏み切れないでいる者であったり、また、詳細な条件設定を行うほどには考えがまとまっていない者であっても、「玄関はこの位置に、そして水廻りはこの位置で、また、和室とダイニングはこの位置で隣接して広く確保したい」という間取りに対する簡単なイメージを抱くことは容易である。この点、キーワードによらない本発明によれば、住宅に対する漠然としたイメージでも間取りプランの検索が可能となる。そして、検索した間取りプランをさらにCGで立体的に表現することで、ゾーニング入力するだけで顧客は擬似空間を体験することが可能となり、住宅購入の実現化に踏み切らせる契機ともなって、潜在需要を効果的に受注に結びつけることが可能となるものである。
【００１６】
さらに、適合率に基づき検索する機能に、優先条件を加味した検索を行うことで、オペレーターにとって、一層有効な間取りプランを検索することが可能となる。
【発明を実施するための最良の形態】
【００１７】
図１は本発明の建物プラン検索システムの構成図である。請求項に記載された本発明に係るシステムは、この図に示すように、システムを制御するプログラムされた主制御部（１）に記憶装置（２）が接続され、当該主制御部（１）にはキーボードやマウス等のポインティングデバイスからなる入力装置（３）、入力データのモニタリングや検索結果を表示する表示装置（４）、検索結果を出力する出力装置（５）が接続されている。
【００１８】
主制御部（１）にはＯＳ（Operating system）等の制御プログラムと、本発明に係るプログラムを機能させる各種手段の他、当該手段の処理手順を規定したプログラム及びシステムを稼動させるために必要となる諸手段が格納されている。
また、その他、各種データの一時蓄積のための内部メモリや、コンピュータシステムを稼動させ、前記プログラムを実行させる上で必要なハードウエアやソフトウエアなどの構成要件は当然有するものとする。
【００１９】
なお、本システムは上記の構成に限られるものでなく、他の既知の構成によってもよい。即ち、ＣＤ−ＲＯＭ等のコンピュータ読み取り可能な記録媒体に本システムに係るプログラムやファイル等を記録して、他のコンピュータにインストールして利用できるほか、配信サーバ装置を利用し、配信先の配信要求に応じて、ネットワークを介し、他のコンピュータのメモリへ、本システムに係るプログラムやファイル等ダウンロードしたり、また、機能のみを利用させたりすることとしても良い。
【００２０】
尚、以下の説明において、被検索対象となるＣＡＤにより作成した間取りプランをプランＡと称し、オペレーターが希望する検索対象となる間取りプランをプランＸと称す。
【００２１】
請求項１及びその他の請求項に記載の「部屋重心座標」とは、ＣＡＤにより作成した間取りプランＡ（図３）において、当該プランの部屋毎の重心（図４に示すＰ）を座標変換したものである。当該部屋重心座標は、当該間取りプラン蓄積時に、本システムを構成する部屋重心座標算出手段により自動的に算出され、記憶装置（２）内に蓄積される。
【００２２】
請求項１及びその他の請求項に記載の「重心座標に対する許容誤差」とは、図５に示すように、プランＡに係る部屋重心（Ｐ）に一定の幅（Ｑ）を持たせて設定した重心範囲（Ｓ）を指す。そして検索時において、当該重心範囲内に、後に詳述するオペレーター指定の検索対象データに係る重心座標(乙)が含まれれば、適合するものとして処理するものである。
【００２３】
請求項１及びその他の請求項に記載の「ゾーニング」とは、オペレーターが希望する間取り略図をいい、図６に示すように、マウス等ポインティングデバイスからなる入力装置（３）により、特定された領域（甲）を指す。
また、請求項１に記載の「ゾーニング入力可能なシステム」とは、当該ゾーニング（甲）を描く（図６）ことで当該領域指定の入力が可能なシステムのことを指し、建物の間取りプランを作成するＣＡＤとは別体の構成に係るコンピュータシステムであって、当該システムにより入力されたゾーニング情報と、ＣＡＤにより作成され、蓄積されている間取りプランとの間で、当該ゾーニング情報と、間取りプラン情報の比較検討が行えるシステム構成とする。
【００２４】
請求項１及びその他の請求項に記載の「適合率」とは、検索対象データとなるプランＸに係る各部屋の重心座標（乙）のうち、いくつの重心座標が間取りプランＡの部屋毎の重心範囲（Ｓ）内に位置するかを示すものである。例えば、プランＸの５部屋のうち、３部屋がプランＡの重心範囲（ｓ）内に位置すれば、６０％の適合率である。
【００２５】
請求項２及びその他の請求項に記載の「適合率設定手段」とは、検索結果の表示の際に、何パーセント以上適合したプランＡを表示させるかを任意に設定可能とする手段である。仮に６０％と適合率の設定をしたものの、当該適合率を満たすプランＡが一件も抽出されなかった場合には、当該適合率設定手段により５５％とすれば、オペレーターの希望する間取りに近い何らかの間取りプランＡを抽出することが可能となる。
また、逆に、６０％を満たすプランＡが多数抽出された場合には、当該適合率を６５％、７０％と設定し直すことで、効率的に検索することが可能となる。
【００２６】
請求項２及びその他の請求項に記載の「適合率比較手段」について説明する。
プランＡは被検索対象データとして多数蓄積されており、プランＸを検索対象として検索処理を実行した場合、当該プランＡ−１〜Ａ−ｎまで個々に適合率を算出する。そして、当該個々の適合率と設定された適合率との比較の下、当該設定値を満たす適合率を有するプランＡのみを、図９（ａ）〜（ｂ）に示すように「適合率充足間取りプラン」として抽出することとなる。
また、当該適合率充足間取りプランの重心情報からゾーニングに変換することも可能である。
【００２７】
尚、上述した他に、例えば、複数の適合率を設定可能として各適合率毎のヒット件数を表示することとしたり、また、適合率に範囲を設け、７０％〜８０％の適合率を有するプランＡを抽出可能としたり、或いは、特定の部屋間の位置関係を優先条件として別途指定することで、適合率は設定値を充足しないものの、当該位置関係を満たすプランがあれば、当該プランをヒットさせ、抽出するという機能を持たせることとしても良い。
【実施例１】
【００２８】
本発明の第1の実施例を図１〜図９に基づいて説明する。
本実施例は、建物プランの間取りの検索であって、既にＣＡＤにて作成し、蓄積された種々の間取りプランの中から、オペレーターが希望する間取り条件に適合する間取りプランを検索する技術に関するものである。尚、本システムにより、ＣＡＤ機能を用いて間取りプランを作成するのは設計者であるが、検索操作を行うオペレーターは、設計者、顧客、コーディネーター等である。
【００２９】
図１は建物プラン検索システムの構成を示す図、図２は処理の流れを示すフロー図、図３はＣＡＤにより作成したプランＡの間取り図、図４はプランＡ各部屋の重心を算出したことを示す参考図、図５はプランＡ各部屋の重心範囲を算出したことを示す参考図、図６はプランＸの検索時においてゾーニングを入力したことを示す参考図、図７はプランＸのゾーニングの重心を算出したことを示す参考図、図８はプランＸとプランＡとの適合状態を示す参考図、図９（ａ）は検索結果を表示した画面の一例を示す図、図９（ｂ）は検索結果一覧を表示した画面の一例を示す図、図９（ｃ）は検索結果詳細を表示した画面の一例を示す図である。
【００３０】
図中、（１）は主制御部、（２）は記憶装置、（３）は入力装置、（４）は表示装置、（５）は出力装置、（Ｐ）はプランＡの各部屋の重心、（Ｑ）はプランＡの各部屋の重心範囲、（Ｓ）はプランＡの各部屋の重心から重心範囲までの許容誤差、（甲）はプランＸのゾーニング、（乙）はプランＸのゾーニングの重心である。
【００３１】
検索を行うに先立って、本システムが有するＣＡＤ機能によって間取りプランが種々作成されており(S101、図３)、被検索対象データとして記憶装置（２）内に蓄積されている(S102)。この際、当該間取りプランの各部屋の重心座標が、部屋重心座標算出手段により、自動的に算出され(S102a、図４)、部屋の種類を特定する識別子ともに当該間取りプランに関連付けられ、蓄積手段により記憶装置（２）内に蓄積されている。
【００３２】
検索対象プランの入力について説明する。オペレーターが希望する間取りである検索対象プラン、即ち、プランＸの入力をオペレーターが行う。検索を始める(S103)に当たり、オペレーター氏名や、家族構成、その他、可能であれば建築予定地などの基本情報を登録することとするが、本実施例においては必須の要件ではない。
次に、図６に示すように、本システムが有するゾーニング入力手段により、オペレーターがイメージする間取りの領域を、ゾーンとして指定し（図６）、本システムへ入力する(S104)。尚、詳述しないが、ゾーニング入力時に、ゾーニング毎に「和室」「玄関」といった部屋種も入力装置（３）により入力するものとし、部屋種の入力により一のゾーニングにつき一の部屋種を特定する識別子が付される。
尚、本実施例において、以下、当該入力されたゾーニング情報に係るプランをプランＸ−１と称す。
【００３３】
上記、特定されたプランＸ-1について、本システムはゾーニング毎にその重心（乙）の座標を、重心座標算出手段により算出する(S105)。そして、算出された当該重心座標を検索対象データとし、ゾーニング入力時に別途、特定された部屋種に基づき付された識別子とともに、一時保存される(S105)。
次に、表示装置（４）上に示された検索実行ボタン（図示せず）をクリックすることで、本システムにより検索が行われる(S106)。
そして、当該実行指示を受け、本システムは、記憶装置（２）内に蓄積されている既存の間取りプランＡを被検索対象として検索を行う(S106)。
【００３４】
尚、ここで、検索対象データをプランＸ-2、プランＸ-3・・・と複数作成しておき、検索時に一のプランＸを検索対象データ特定手段により特定する(S104)こととしても良い。
【００３５】
また、検索に際しては、予め被検索対象データに係る部屋重心座標に対して許容誤差として重心範囲（Ｑ）が一定の値に定義されているが、検索実行前に当該範囲の値を、重心範囲設定手段により変更することとしても良い。
【００３６】
本実施例においては、蓄積されているすべてのプランＡを被検索対象とすることから、プランＸ-1の重心座標が算出された後、検索開始ボタン（図示せず）をクリックすると、本実施例においては、被検索対象となる全プランであるプランＡ-1〜プランＡ-ｎまで順次、抽出し、各プランＡの部屋毎の重心範囲（Ｓ）と、プランＸ-1の部屋毎の重心座標（乙）とを、部屋種を示す同識別子に基づき、重心比較手段により比較し、適合率算出手段によりプランＡ毎に適合率を算出する(S106a)ものである。
【００３７】
プランＡ-1〜プランＡ-ｎまですべての適合率が夫々算出された後、図９（ａ）に示すように、所定の適合率（本実施例においては予め５５％と設定されている）を満たすプランＡの件数が画面上に表示される。
【００３８】
そして、当該結果の一覧を表示させるときには、図９（ａ）中、「一覧を見る」のボタンをクリックすると、各プランと当該プランが有する適合率とともに一覧表示される（図９（ｂ））。また、当該一覧より、特定のプランＡ-1を選択すると、図９（ｃ）に示すように、当該プランに係る適合率の詳細が表示される。さらに、当該プランＡ-1の間取りプランの詳細を表示させるときには、図９（ｃ）中の「プランを表示する」のボタンをクリックすると、図３に示すような、具体的な間取りが画面上に表示されることとなる。間取りプランとして平面的に表示する他に、ＣＧで三次元的に表示することとしてもしてもよい。
尚、間取りプランの重心情報から変換されたゾーニングによって表示することとしてもよい。
【００３９】
以上、本実施例によれば、適合率での表示が可能であるため、これまでのように、ヒットするか否か、即ち、オペレーターが希望する間取りプランがあるか否かに留まる検索システムに比べて、格段に検索結果の利用の幅が広がるため、好ましい。
さらに、希望する部屋を隣接してゾーニング入力する作業だけで、位置関係をも考慮した効率的な検索が可能となり、従来の検索システムに比べて、格段に、操作性及び検索能力の向上を図ることが可能となった。
そして、顧客が間取りに対して抱くイメージによってゾーニング入力するだけで、間取りプランやCGでの確認が可能となり、空間イメージがつかみやすくなる結果、顧客の住宅購入意識を高める契機となり、潜在需要を効果的に受注に結びつけることが期待できる。
【実施例２】
【００４０】
本発明の第２の実施例を図１０を参照しながら説明する。図１０（ａ）は本実施例２に係る検索結果を表示した画面の一例を示す図、図１０（ｂ）は本実施例２に係る検索結果一覧を表示した画面の一例を示す図である。
【００４１】
本実施例は、建物プランの間取りの検索であって、既にＣＡＤにて作成し、蓄積された種々の間取りプランの中から、オペレーターが希望する間取り条件に適合する間取りプランを検索する技術に関するものであって、適合率を複数設定可能とし、当該適合率に応じて検索結果を表示、出力する技術に関するものである。
【００４２】
被検索対象となるプランＡの作成、保存及び当該プランの部屋重心座標の算出、保存まで、そして、オペレーターが所望の間取りをゾーニング入力手段により、入力し(S104)、当該ゾーニングに係る重心座標を算出する(S105)までは、前述の実施例１と同様である。
【００４３】
オペレーターが所望のゾーニング入力を行い(S104)、本システムが当該ゾーニングに係る重心座標を算出(S105)した後、オペレーターは、複数の適合率を設定する。本実施例では「６０％」と「５０％」を設定する。この際、図示しないが、システムを構成する表示装置（４）上に示された操作画面上で、所望の適合率が入力装置（３）により設定可能となっている。本システムは、当該設定処理を受け、その後の検索処理に際し、当該設定された各適合率に基づき検索結果を表示する。
【００４４】
本実施例において、オペレーターがする所望の間取り（以下、本実施例においてプランＸ-2と称す）をゾーニング入力手段により入力する(S104)と、各ゾーニングに係る重心座標を算出手段により算出する(S105)。尚、ゾーニング入力時に、ゾーニング毎に部屋種を特定することで、本システムはゾーニング個々に識別子を付し、前記重心座標に関連付けて検索対象プランとして一時保存される(S105)。
【００４５】
次に、検索を実行する(S106)と、記憶装置（２）内に蓄積されているプランＡ-1〜プランＡ-ｎが被検索対象データとして順次、抽出され、プランＡに係る重心範囲を認識し、検索対象データである前記プランＸ-2に係る重心座標との比較の下、重心比較手段により比較され、個々のプランＡ毎に適合率が、適合率算出手段により算出される(S106a)。
【００４６】
そして、本実施例においては、適合率「６０％以上」及び「５０％以上」に該当するプランＡが夫々抽出され、図１０（ａ）に示すように、検索結果として表示される(S107)。
ここで、本実施例においては、適合率「５０％以上」の建物プランは７件ヒットしたことから、当該結果に係る一覧を表示させるために、当該「一覧」ボタンをクリックすると、適合率の高いものから、若しくは低いものから順に表示される（図１０（ｂ））。
尚、検索結果に応じて、適合率を変更する場合には図１０（ａ）に示す「適合率変更」ボタンをクリックすることで、所望の適合率に変更可能である。
また、図１０（ｂ）に示すように、表示させる適合率を変更させたい場合には、プルダウンメニューから所望の適合率をクリックすることで、当該適合率に基づく検索結果一覧を表示させることが可能となる。
【００４７】
さらに、検索結果一覧画面から、特定のプランＡを表示させたい場合には、当該プランを示す表示をクリックすることで、当該プランに係る詳細な間取りプランを表示させることができる。
また、間取りプランをＣＧによって表示したり、当該プランの重心情報から変換されたゾーニングによって表示してもよいことは実施例１と同様である。
【００４８】
以上、本実施例により、予め、複数の適合率を設定することにより、効率的な検索を行うことが可能となり、一層好ましい。
【実施例３】
【００４９】
本発明の第３の実施例を図１１を参照しながら説明する。図１１は実施例３に係る検索結果を表示した画面の一例を示す図である。
【００５０】
本実施例は、建物プランの間取りの検索であって、既にＣＡＤにて作成し、蓄積された種々の間取りプランの中から、オペレーターが希望する間取り条件に適合する間取りプランを検索する技術に関するものであって、所望の適合率を充足するプランを検索可能とする一方、特定の条件を充足するプランを優先的に抽出可能とする検索システムに係る技術に関するものである。
尚、本実施例におけるシステムは、特定の条件を充足するプランを優先的に抽出可能とする手段を有する以外は、前述の実施例１及び実施例２とことなるところはない。
【００５１】
優先的に抽出可能とするとは、例えば、特定の２室が隣接していることを優先的に抽出することをいい、所定の適合率を充足し、かつ、当該優先条件を具備するプランを抽出可能とするものである。
【００５２】
優先条件を特定するにあたっては、本実施例においては前述の実施例１及び実施例２に記載した手段に加え、さらに、優先条件特定手段、所定の適合率を充足したプランの中から特定された優先条件を具備するプランを認識する特定条件認識手段及び特定条件抽出手段を有するものとする。尚、当該抽出されたプランを表示、出力する手段は当然に有するものである。
【００５３】
例えば、「和室」と「リビングダイニング（ＬＤ）」とが隣接していることを優先条件とする場合、ゾーニング入力時に当該２室が隣接することを、優先条件特定手段により特定することで、当該２室が一室とみなされる処理が施される。詳しくは、例えば、「和室」を表わす識別子と、「ＬＤ」を示す識別子との間で、隣接を示す特定の識別子が付される。一方、所定の適合率を充足したプランＡの中から、「和室」と「ＬＤ」とが隣接しているか否かの判断が、特定条件認識手段により認識され、別途、当該プランのみが抽出される（図１１）。
【００５４】
本実施例によれば、所定の適合率を充足したプランのみならず、オペレーターが特に希望する条件を優先的に検索できることから、さらに有効な間取りプラン検索を行うことが可能となる。間取りプランをＣＧによって表示したり、当該プランの重心情報から変換されたゾーニングによって表示してもよいことは言うまでもない。
【産業上の利用可能性】
【００５５】
ゾーニング入力及び重心情報に基づき検索するシステム及びその方法は、間取りに関するものに限られず、領域指定が可能であり、各領域に基づく重心情報を得ることが可能であれば、検索対象データ及び被検索対象データとして特定が可能となり、検索手段として広範囲に応用できる。例えば、住宅関連でいえば、点景や外構に関して応用が可能であり、その他、個々の配置を検討するにあたり、過去の配置情報に基づき検索するといった用途に適用できる。
【図面の簡単な説明】
【００５６】
【図１】建物プラン検索システムの構成を示す図
【図２】処理の流れを示すフロー図
【図３】ＣＡＤにより作成したプランＡの間取り図
【図４】プランＡ各部屋の重心を算出したことを示す参考図
【図５】プランＡ各部屋の重心範囲を算出したことを示す参考図
【図６】プランＸの検索時においてゾーニングを入力したことを示す参考図
【図７】プランＸのゾーニングの重心を算出したことを示す参考図
【図８】プランＸとプランＡとの適合状態を示す参考図
【図９】（ａ）  実施例１に係る検索結果を表示した画面の一例を示す図    （ｂ）  実施例１に係る検索結果一覧を表示した画面の一例を示す図    （ｃ）  実施例１に係る検索結果詳細を表示した画面の一例を示す図
【図１０】（ａ）  実施例２に係る検索結果を表示した画面の一例を示す図    （ｂ）  実施例２に係る検索結果一覧を表示した画面の一例を示す図
【図１１】実施例３に係る検索結果を表示した画面の一例を示す図
【符号の説明】
【００５７】
１  主制御部
２  記憶装置
３  入力装置
４  表示装置
５  出力装置
Ｐ  プランＡの各部屋の重心
Ｑ  プランＡの各部屋の重心範囲
Ｓ  プランＡの各部屋の重心から重心範囲までの許容誤差    
甲  プランＸのゾーニング
乙  プランＸのゾーニングの重心
【図１】
2005100039.tif 000003
【図２】
2005100039.tif 000004
【図３】
2005100039.tif 000005
【図４】
2005100039.tif 000006
【図５】
2005100039.tif 000007
【図６】
2005100039.tif 000008
【図７】
2005100039.tif 000009
【図８】
2005100039.tif 000010
【図９】
2005100039.tif 000011
【図１０】
2005100039.tif 000012
【図１１】
2005100039.tif 000013